(57)【特許請求の範囲】
【請求項１】
板状体が所定位置に存在するか否かを検出する検出装置であって、
前記板状体の一側面へ向けて斜めにスポット状の検出光を投光する光源と、反射光を受光する受光素子とを備えている投受光センサと、
投受光センサから見て板状体よりも遠方にあり、かつ板状体が存在しない場合、検出光を拡散反射する拡散反射部と、
投受光センサへ入射する反射光の所定の強度以下であることから、板状体を検出する検出部、とを備え、
板状体の側面が透明の場合、板状体の側面へ入射した検出光は板状体の内部で複数回反射し投受光センサとは異なる方向へ出射し、板状体の側面が鏡面状の反射面の場合、板状体の側面へ検出光は斜めに入射して投受光センサとは異なる方向へ正反射するように、投受光センサが配置されていることを特徴とする、板状体の検出装置。
【請求項２】
前記板状体を収納しかつ正面に板状体の移載用の開口部を備えているケースを保管するケースポートであって、
ケースの収納部と請求項１の検出装置とを備え、
検出装置の投受光センサは、ケースの開口部からケースの内部へ斜めに検出光が入射するように配置され、
ケースの内側の左右の側面で、板状体が存在しない場合にケースの開口から入射した検出光が入射する位置に、前記拡散反射部が設けられていることを特徴とする、ケースポート。
【請求項３】
透明な板状体の内部へ入射した検出光が、検出光の光路に沿って板状体の開口部側の次の側面へ臨界角よりも大きな角度で入射するように、検出装置の投受光センサが配置されていることを特徴とする、請求項２のケースポート。
【請求項４】
請求項２または３のケースポートを備えた保管装置であって、
前記板状体をケースから取り出した状態で保管する保管部と、
前記ケースポートのケースから板状体を出し入れする移載部と、
検出装置の検出部による判定に基づいて移載部を制御する制御部、とをさらに備えていることを特徴とする、保管装置。
【発明の詳細な説明】
【技術分野】
【０００１】
この発明は板状体の検出に関する。
【背景技術】
【０００２】
特許文献１（JP4215079B）はレチクルの保管装置について開示し、レチクルは半導体等の露光に用いる板状のマスクである。特許文献２（JP2001-22053A）はケース内のレチクルの有無を検出するため、ケースの開口の正面からLED光をレチクルの側面へ投光し、レチクルの反対側の側面を通ってケースの最も奧の面で反射した光を検出することを開示している。しかしながらケースの正面にLED等を配置すると、ケースからのレチクルの出し入れを妨げる。そこで光源をケースの正面に対して斜めに配置し、受光素子をケースから見て光源と反対側に配置すると、光源と受光素子との位置合わせが難しい。
【先行技術文献】
【特許文献】
【０００３】
【特許文献１】JP4215079B
【特許文献２】JP2001-22053A
【発明の概要】
【発明が解決しようとする課題】
【０００４】
この発明の課題は、板状体の正面を塞がずに、かつ光源と受光素子とを備えている投受光センサを用いて、板状体を確実に検出することにある。
この発明の他の課題は、このような検出装置を備えたケースポート及び保管装置を提供することにある。
【課題を解決するための手段】
【０００５】
この発明は、板状体が所定位置に存在するか否かを検出する板状体の検出装置であって、
前記板状体の一側面へ向けて斜めにスポット状の検出光を投光する光源と、反射光を受光する受光素子とを備えている投受光センサと、
投受光センサから見て板状体よりも遠方にあり、かつ板状体が存在しない場合の検出光の光路上にある拡散反射部、とを備え、
板状体の側面が透明の場合、板状体の側面へ入射した検出光は板状体の内部で複数回反射し投受光センサとは異なる方向へ出射し、板状体の側面が鏡面状の反射面の場合、板状体の側面へ検出光は斜めに入射して投受光センサとは異なる方向へ正反射するように、投受光センサが配置されていることを特徴とする。
【０００６】
この発明の検出装置では、板状体が存在しないと検出光は拡散反射部へ入射し、検出光の一部は拡散反射により投受光センサに戻る。板状体は側面が透明でも鏡面でもよく、鏡面の場合斜めに入射した検出光は投受光センサとは逆向きに正反射し、投受光センサに戻ることはない。また透明の場合、板状体の内部で複数回反射して検出光が入射した面から出射し、出射光は投受光センサとは逆向きに進んで、投受光センサに戻ることはない。そして検出部は、投受光センサへ入射する反射光の所定の強度以下であることから、板状体を検出する。従って板状体の正面に投受光センサを配置せずに、板状体の有無を確実に検出できる。
【０００７】
またこの発明は、前記板状体を収納しかつ正面に板状体の移載用の開口部を備えているケースを保管するケースポートであって、
ケースの収納部とこの発明の検出装置とを備え、
検出装置の投受光センサは、ケースの開口部からケースの内部へ斜めに検出光が入射するように配置され、
ケースの内側の左右の側面で、板状体が存在しない場合にケースの開口から入射した検出光が入射する位置に、前記拡散反射部が設けられていることを特徴とする。
【０００８】
この発明では検出光は板状体の側面に斜めに入射するので、投受光センサをケースの開口部の正面を塞がない位置に配置できる。従って投受光センサはケースへの板状体の移載を妨げない。なおこの明細書で投受光センサを所定の条件を充たすように配置するとは、投受光センサの位置と検出光の光軸とが所定の条件を充たすように配置することを意味する。
【０００９】
好ましくは、透明な板状体の内部へ入射した検出光が、検出光の光路に沿って板状体の開口部側の次の側面へ臨界角よりも大きな角度で入射するように、検出装置の投受光センサが配置されている。なお検出光が臨界角でこの面に入射すると、板状体の側面に沿って検出光が進んで、ケースの最も奧の面で正反射し、投受光センサへ戻る光路が生じる。検出光を板状体の開口部側の次の側面へ臨界角よりも大きな角度で入射させると、投受光センサへ戻る検出光は僅かで、誤検出を起こし難い。
【００１０】
この発明はさらに、この発明のケースポートを備えた保管装置であって、
前記板状体をケースから取り出した状態で保管する保管部と、
前記ケースポートのケースから板状体を出し入れする移載部と、
検出装置の検出部による判定に基づいて移載部を制御する制御部、とをさらに備えていることを特徴とする。
【００１１】
この保管装置ではケース内の板状体の有無を確実に検出でき、例えば板状体を既に収納しているケースにさらに別の板状体を収納しようとしたり、空のケースから板状体を取り出そうとしたりすることがない。
【図面の簡単な説明】
【００１２】
【図１】実施例の保管装置の水平方向断面図
【図２】実施例でのケースポートの鉛直方向断面図
【図３】実施例で用いるケースの側面図
【図４】実施例でのケース内の板状体の検出を示す図
【発明を実施するための形態】
【００１３】
以下に本発明を実施するための最適実施例を示す。この発明の範囲は、特許請求の範囲の記載に基づき、明細書の記載とこの分野での周知技術とを参酌し、当業者の理解に従って定められるべきである。
【実施例】
【００１４】
図１〜図４に実施例を示す。図１は保管庫２を示し、４はケースポートで、ケースを出し入れすると共に保管するポートで、６はロードポートで、ポッドを出し入れするポートである。ケースもポッドも共にレチクルを保管し、形状は共に薄い直方体状で、ケースとポッドはレチクルを出し入れする際の手順と規格が異なる。ポート４，６は主として作業者がアクセするポートであるが、無人搬送車、天井走行車等もアクセスできるようにしても良い。また保管装置２の上部に、天井走行車等がアクセスするポートを別個に設けても良い。保管物品はレチクルに限らず、半導体ウェファー等でも良く、板状でケースに収納され、高度にクリーンな環境で保管するものである。
【００１５】
８は回転棚で、ケース及びポッドから取りだしたレチクルを保管し、高さ方向に多段で、かつ鉛直軸回りに回転する。１０はレチクル移載装置で、昇降ガイド１３に沿ってターンテーブル１５が昇降し、スカラーアーム等の伸縮自在なアーム１７を備えて、アーム１７の先端のハンド１８でレチクルを移載する。１２はポッド移載装置で、昇降ガイド１４に沿ってターンテーブル１６が昇降し、スカラーアーム等の伸縮自在なアーム１８を備えて、アーム１８の先端のハンド２０でポッドを移載する。２２はポッドオープナーで、図示しないポッドの内部へレチクルを保管したインナーケースを出し入れし、２４はポッド棚でポッドを保管する。レチクル移載装置１０は回転棚８の任意の間口とポッドオープナー２２とケースポート４とにアクセスでき、移載装置１２はポッド棚２４の任意の間口と、ポッドオープナー２２とロードポート６とにアクセスできる。移載装置１０，１２の構造と種類は任意である。
【００１６】
２６はコントローラで、保管装置２の各部を制御し、保管しているポッド、ケース、及びレチクルのIDと所在の位置、例えば回転棚８での間口アドレス、ケースポート４での棚内のアドレスを在庫ファイルに記憶する。そしてポッド、ケース、レチクルの出入りを記憶する。２７，２８は操作パネルで、ポッド及びケースの出し入れに関する入力を行い、コントローラ２６は操作パネル２７，２８からの入力に従って、移載装置１０，１２と回転棚８及びポート４，６を制御する。無人搬送車、天井走行車等との間でケース及びポッドを搬出入する場合、コントローラ２６は図示しない上位コントローラと通信し、その指示に従って保管装置２を制御する。
【００１７】
図２はケースポート４の構造を示し、３０はケース装填部で、例えば作業者は扉３９を開けてケースを複数段に装填でき、ケースを装填する代わりに単に棚にケースを収納するようにしても良い。３２は移載装置で、昇降ガイド３３に沿って昇降する昇降台３４と、昇降台上のスカラーアーム、スライドフォーク等の伸縮するハンド３５とを備えている。移載装置３２は、ケース装填部３０内のケースとケース装填部３０の例えば最上段のレチクル置場３８との間で、レチクル等の保管物品を移載する。移載装置３２の種類と構造は任意である。例えばレチクル移載装置１０が直接にケース装填部３０内のケースへアクセスするようにしても良い。
【００１８】
ケースポート４内の支持体３７に沿って、ケース装填部３０の各段毎に検出装置３６が設けられ、検出装置３６は図３，図４に示すケースの正面の開口部４２に対して斜めに検出光を投光する位置に配置されている。ケース装填部３０の各段に別々の検出装置３６を設ける代わりに、１個の検出装置を支持体３７に沿って昇降させても良い。３６’はレチクル置場３８に設けた検出装置で、ハンド３５等と干渉しない位置に配置され、例えばレチクルの端面へレーザ光等を照射して反射光を検出することにより、レチクルを検出する。検出装置３６，３６'はコントローラ２６にレチクルの有無を報告し、コントローラ２６はこの報告に基づいて移載装置３２とレチクル移載装置１０を制御する。しかし移載装置３２はケースポート４内のローカルなコントローラで制御しても良い。
【００１９】
図３はケースポート４で扱うケース４０とハンド３５とを示し、この明細書では図３の右側を前方と呼び、ケース４０の前方の側面を正面と呼ぶ。またケースポート４等では、図２の右側を前方と呼ぶ。ケース４０の正面には開閉自在な扉４１があり、ケース装填部３０の図示しない機構により開閉し、４２は扉４１により開閉する開口部である。ケース４０は内部にレチクル４４等の板状の物品を収納する。ケース４０の内面は光の反射面で鏡面状ではなく、入射光の少なくとも一部が入射光の方向へ逆向きに反射する。なおこの明細書で鏡面とは拡散反射が無視できる面で、透明か不透明かと関係がない。またケースの内面が鏡面状の場合、検出光が最初に入射する位置に検出光を拡散反射もしくは回帰反射するフィルム、塗膜等の部材を設ける。
【００２０】
レチクル４４は平面視で矩形状で、材質は石英、ガラス、合成樹脂等の透明材料で、その４側面は鏡面状であるが、レチクル４４の４側面は透明な場合も不透明な場合もある。レチクルの屈折率は１よりも高く、例えば40度付近に臨界角がある。なお保管物品はレチクルに限らず板状体、特に側面が鏡面状の板状体であれば良い。
【００２１】
ケース装填部３０内での、検出装置３６とケース４０との位置関係を図４に示す。検出装置３６は半導体レーザ、気体レーザ等のレーザ５０と受光素子５２とを備え、レーザ５０と受光素子５２とで投受光センサを校正する。検出部５４は、受光素子５２で受光した反射光の強度が所定値以下でレチクル４４が存在するものとし、反射光の強度が所定値を越えるとレチクル４４が存在しないものとする。なおレーザ５０に変えて、LED等の光をレンズでスポットのサイズがレチクル４４の厚さ以下の平行光線に変えても良い。受光素子５２はフォトダイオード等で、レーザ５０からの光とほぼ逆向きの反射光を検出する。
【００２２】
側面が透明なレチクルが存在すると、検出装置３６からの光は光路L1に沿ってケース４０の前面の開口部４２から内部に斜めに入射角γで点P1に入射し、出射角βでレチクル４４内に屈折する。また検出光の一部は点P1で出射角γで正反射し、光路L2に沿って進む。なおレチクル４４の屈折率をｎとすると、ｎsinβ＝sinγである。点P2での入射角をαとすると、α＝π／２−βで、入射角γを選ぶことにより、αを臨界角よりも大きくすることができる。検出光は点P3でレチクル４４から出て、点P4でケース４０の最も奧の面で反射し、点P5でレチクル４４内に戻り、点P6でも入射角はαで臨界角よりも大きく、P7でレチクル４４から出て、光路L3に沿って進む。光路L3は検出装置３６とは逆向きである。ここで点P2での入射角αを臨界角よりも大きくすることの意義を説明する。入射角αが臨界角と等しいと、レチクル４４の側面に沿って進む光が生じ、この光は光路L4を辿って、例えば元の点P2から一部が検出装置３６へ戻り、誤検出の原因となる。これに対して角度αが臨界角よりも大きいと、点P4で検出光の一部が拡散反射して点P3へ戻り、光路L1を逆向きに辿ることがあるが、大部分の検出光は点P5へ進み、検出器３６へは戻らない。レチクル４４内で検出光は、開口部４２に隣接する側面S1へ臨界角よりも大きな入射角αで入射して反射し、次に開口部４２とは反対側の側面S2で反射する。検出光は次いで、側面S1とは反対側の側面S3でも臨界角よりも大きな入射角αで入射して反射し、開口部４２側から検出器３６とは逆向きに出射角γで出射する。
【００２３】
側面が不透明で鏡面状のレチクルが存在すると、検出光は点P1で反射角γで正反射して光路L2を辿り、検出装置３６には戻らない。レチクル４４が存在しないと、検出光は拡散反射部４３で拡散反射し、一部が検出装置３６へ戻る。
【００２４】
以上のように、検出装置３６へ検出光が強く戻るのは、レチクル４４が存在しない場合だけであり、反射光の強度を検出部５４で判定すると、レチクル４４の有無が分かる。しかも検出装置３６はケース４０の開口部４２の前方を塞がず、移載装置３２等と干渉しない。また透明なレチクルに対して、検出光が開口部４２の次の側面へ臨界角よりも大きな入射角で入射するようにすると、検出装置３６へ戻る検出光を特に少なくできる。さらに検出光がレチクルの３側面で順に反射して開口部４４側の面へ戻るようにすると、簡単に検出光を検出装置３６とは反対側へ出射させることができる。
【符号の説明】
【００２５】
２          保管装置
４          ケースポート
６          ロードポート
８          回転棚
１０        レチクル移載装置
１２        ポッド移載装置
１３，１４  昇降ガイド
１５，１６  ターンテーブル
１７，１８  アーム
１９，２０  ハンド
２２        ポッドオープナー
２４        ポッド棚
２６        コントローラ
２７，２８  操作パネル
３０        ケース装填部
３２        移載装置
３３        昇降ガイド
３４        昇降台
３５        ハンド
３６        検出装置
３７        支持体
３８        レチクル置場
３９        扉
４０        ケース
４１        蓋
４２        開口部
４３        拡散反射部
４４        レチクル
５０        レーザ
５２        受光素子
５４        検出部
L1〜L3      光路
P1〜P7      点
S1〜S3      側面
【図１】
0005387926.tif 000002
【図２】
0005387926.tif 000003
【図３】
0005387926.tif 000004
【図４】
0005387926.tif 000005